(57)【要約】【課題】カバーの変形を抑制した光源ユニットを提供することを目的とする。【課題手段】第１の面３ａに発光素子１が実装された基板３と、第１の面３ａと対向する第２の面３ｂが接続するように基板３が取り付けられたフレーム１０と、発光素子１を覆い、フレーム１０に取り付けられたカバー２０とを備え、カバー２０は、発光素子１に向って突出する延設部２２と、発光素子１と対向する面を有する主部２１と、フレーム１０への取り付けに使用する引っ掛け部２４が接続された第１の側部２３とを有し、フレーム１０は、延設部２２と交差する方向、かつ水平方向に交差する方向に向って突出する第１の支持部１２を有し、第１の支持部１２の端部のうち主部２１に近い方の第１の端部は、水平方向において第１の側部２３よりも発光素子１側に、かつ、水平方向及び垂直方向の両方向において延設部２２の突端よりも延設部２２の根元側にあることを特徴とする。【選択図】      図４
2018152263.tif 000002
【特許請求の範囲】
【請求項１】
第１の面に発光素子が実装された基板と、
前記第１の面と対向する第２の面が接続するように前記基板が取り付けられたフレームと、
前記発光素子を覆い、前記フレームに取り付けられたカバーと、を備え、
前記カバーは、
前記発光素子に向って突出する延設部と、
前記発光素子と対向する面を有する主部と、
前記フレームへの取り付けに使用する引っ掛け部が接続された第１の側部と、を有し、
前記フレームは、
前記延設部と交差する方向、かつ水平方向に交差する方向に向って突出する第１の支持部を有し、
前記第１の支持部の端部のうち前記主部に近い方の第１の端部は、水平方向において前記第１の側部よりも前記発光素子側に、かつ、水平方向及び垂直方向の両方向において前記延設部の突端よりも前記延設部の根元側にあること、
を特徴とする光源ユニット。
【請求項２】
第１の面に発光素子が実装された基板と、
前記第１の面と対向する第２の面が接続するように前記基板が取り付けられたフレームと、
前記発光素子を覆い、前記フレームに取り付けられたカバーと、を備え、
前記カバーは、
前記発光素子に向って突出する延設部と、
前記発光素子と対向する面を有する主部と、
前記フレームへの取り付けに使用する引っ掛け部が接続された第１の側部と、を有し、
前記フレームは、
前記延設部と交差する方向、かつ垂直方向に交差する方向に向って突出する第２の支持部を有し、
前記第２の支持部の端部のうち前記発光素子に近い方の第２の端部は、水平方向において前記第１の側部よりも前記発光素子側に、かつ、水平方向及び垂直方向の両方向において前記延設部の突端よりも前記延設部の根元側にあること、
を特徴とする光源ユニット。
【請求項３】
前記フレームは、
前記延設部と交差する方向、かつ垂直方向に交差する方向に向って突出する第２の支持部をさらに有し、
前記第２の支持部の端部のうち前記発光素子に近い方の第２の端部は、水平方向において前記第１の側部よりも前記発光素子側に、かつ、水平方向及び垂直方向の両方向において前記延設部の突端よりも前記延設部の根元側にあること、
を特徴とする請求項１に記載の光源ユニット。
【請求項４】
前記フレームは、
前記延設部と平行な方向に向って突出する第３の支持部をさらに有すること、
を特徴とする請求項１に記載の光源ユニット。
【請求項５】
前記延設部は、前記第１の支持部よりも前記発光素子側に、前記フレームに向って突出する突起部を有すること、
を特徴とする請求項１、請求項３、又は請求項４に記載の光源ユニット。
【請求項６】
前記延設部は、前記第２の支持部よりも前記発光素子側に前記フレームに向って突出する突起部を有すること、
を特徴とする請求項２に記載の光源ユニット。
【請求項７】
前記フレームは、
水平方向において前記第１の側部よりも前記発光素子側に、前記第１の側部と平行である第２の側部をさらに有すること、
を特徴とする請求項１から請求項６のいずれか一項に記載の光源ユニット。
【請求項８】
前記延設部は、前記主部よりも反射率が高いこと、
を特徴とする請求項１から請求項７のいずれか一項に記載の光源ユニット。
【請求項９】
被取り付け部に取り付けられる本体ユニットと、
前記本体ユニットに着脱可能な、請求項１から請求項８のいずれか一項に記載の光源ユニットと、
を備えた照明器具。
【発明の詳細な説明】
【技術分野】
【０００１】
本発明は、光源ユニット及び照明器具に関するものである。
【背景技術】
【０００２】
天井等に取り付けられる長尺状の照明器具は、天井等に取り付けられ、点灯装置等を有する本体ユニットと、本体ユニットに着脱可能であり、光源モジュールを有する光源ユニットとを備える。本体ユニットは、長手方向の両端にバネを有しており、バネは、光源ユニットの取り付けに使用される。光源ユニットには、発光素子が実装された基板と、基板が取り付けられるフレームと、フレームに取り付けられ、基板の発光素子が実装された面を覆うカバーとを備える。光源モジュールは、発光素子と基板とを含む。
【０００３】
フレームは、基板が取り付けられる長尺状の主面部と、主面部の短手方向の端部から発光素子が発する光の主出射方向（下方向）に沿って延伸する第１側面部と、第１側面部の端部のうち主面部と接する端部と反対側の端部から、光の主出射方向と交差する方向で主面部の短手方向の外側に延伸する底面部と、底面部の端部のうち第１側面部と接する端部と反対側の端部から底面部と交差する方向で光の主出射方向の反対側（上方向）に延伸する第２側面部とを有する。カバーは、短手方向の両側のそれぞれに（左右方向のそれぞれに）、短手方向の側面から内側に向かって突出する第１突出部及び第２突出部を有する。フレームの第２側面部は、カバーの第１突出部と第２突出部との間に嵌合する（例えば、特許文献１）。
【先行技術文献】
【特許文献】
【０００４】
【特許文献１】特開２０１６−１４９３３２号公報
【発明の概要】
【発明が解決しようとする課題】
【０００５】
このような光源ユニットにあっては、例えば、本体ユニットから取り外す際に、カバーが変形してしまうという課題があった。光源ユニットを本体ユニットから取り外す際に、本体ユニットの長手方向両端のうちの一方にある第１のバネと、本体ユニットの長手方向両端のうちの他方にある第２のバネとに、同じ力がかからないことがある。例えば、第１のバネと第２のバネとかかる力が異なると、光源ユニットは上向きに突出するように（本体ユニット側に突出するように）曲がる。すなわち、光源ユニットに上方向の力がかかる。
【０００６】
光源ユニットに上方向の力がかかると、光源ユニットのカバーは水平方向外向きに（水平方向に発光素子から遠くなる方向に）広がろうとする。つまり、光源ユニットを本体ユニットから取り外す際に、光源ユニットのカバーには、上向きの力と、水平方向外向きの力（水平方向に発光素子から遠くなる方向の力）とが加わることがある。
【０００７】
従来の光源ユニットは、カバーに水平方向外向きの力が加わると、カバーが変形する。例えば、カバーの第１突出部及び第２突出部は、フレームの第２側面部を嵌合するためにあり、カバーに加わった水平方向外向きの力がカバーの変形に影響し、カバーが変形することについて考慮していないからである。カバーが変形してしまうと、カバーの配光特性が変わってしまったり、カバーが破損してしまったりする。
【０００８】
本発明は、上述のような問題を解決するためになされたものであり、カバーの変形を抑制した光源ユニットを提供することを目的とする。
【課題を解決するための手段】
【０００９】
本発明にかかる光源ユニットは、第１の面に発光素子が実装された基板と、第１の面と対向する第２の面が接続するように基板が取り付けられたフレームと、発光素子を覆い、フレームに取り付けられたカバーと、を備え、カバーは、発光素子に向って突出する延設部と、発光素子と対向する面を有する主部と、フレームへの取り付けに使用する引っ掛け部が接続された第１の側部と、を有し、フレームは、延設部と交差する方向、かつ水平方向に交差する方向に向って突出する第１の支持部を有し、第１の支持部の端部のうち主部に近い方の第１の端部は、水平方向において第１の側部よりも発光素子側に、かつ、水平方向及び垂直方向の両方向において延設部の突端よりも延設部の根元側にあること、を特徴とする。
【発明の効果】
【００１０】
本発明にかかる光源ユニットによれば、カバーの変形を抑制することができる。光源ユニットを本体ユニットから取り外す際に、カバーの延設部には、水平方向外向きの力（水平方向に発光素子から遠くなる方向の力）が加わることがある。本発明にかかる光源ユニットは、発光素子に向って突出する延設部を有するカバーと、延設部と交差する方向、かつ水平方向に交差する方向に向って突出する第１の支持部を有するフレームとを備えており、第１の支持部の端部のうち主部に近い方の第１の端部は、水平方向及び垂直方向の両方向において延設部の突端よりも延設部の根元側にある。そのため、延設部が第１の支持部に接触することによって、カバーに加わる水平方向外向きの力は、カバーの変形に影響することを抑制されるので、本発明にかかる光源ユニットは、カバーの変形を抑制することができる。
【図面の簡単な説明】
【００１１】
【図１】本発明の実施の形態１にかかる照明器具を示す斜視図である。
【図２】本発明の実施の形態１にかかる照明器具を示す断面図である。
【図３】本発明の実施の形態１にかかる本体ユニットを示す斜視図である。
【図４】本発明の実施の形態１にかかる光源ユニットを示す断面図である。
【図５】本発明の実施の形態１にかかる光源ユニットを示す断面拡大図である。
【図６】本発明の実施の形態２にかかる光源ユニットを示す断面図である。
【図７】本発明の実施の形態２にかかる光源ユニットを示す断面拡大図である。
【図８】本発明の実施の形態３にかかる光源ユニットを示す断面図である。
【図９】本発明の実施の形態４にかかる光源ユニットを示す断面図である。
【発明を実施するための形態】
【００１２】
以下、図を用いて本発明の実施の形態について説明する。なお、各図中、同一又は相当する部分には、同一符号を付して、その説明を適宜省略又は簡略化する。また、実施の形態の説明において、「上」、「下」、「左」、「右」、「前」、「後」、「表」、「裏」といった向きは、説明の便宜上、そのように記しているだけであって、装置、器具、部品等の配置や向き等を限定するものではない。
【００１３】
実施の形態１．
図１は、本発明の実施の形態１にかかる照明器具１００を示す斜視図である。本実施の形態にかかる照明器具１００は、天井や壁等の造営材に取り付けられ、点灯装置等を有する本体ユニット１２０と、本体ユニット１２０に着脱可能であり、光源モジュールを有する光源ユニット１１０とを備える。ここで、図１に示す方向と、後述する図２から図９に示す方向は、同じ記号かつ同じ符号であれば、同じ方向を示すものである。なお、図１から図９では、照明器具１００の長手方向をＸ軸方向とし、短手方向とＹ軸方向とし、照明器具１００から発せられる光が進行する方向のうち主な方向を−Ｚ方向とする。すなわち、天井や壁等の本体ユニット１２０が取り付けられた面から床面に向う方向を−Ｚ方向とする。
【００１４】
図２は、本発明の実施の形態１にかかる照明器具１００を示す断面図であり、図１におけるＡ−Ａ断面を示す。本実施の形態にかかる照明器具１００の本体ユニット１２０は、光源ユニット１１０の一部が挿入されて取付けられる凹形状の収容凹部１２０ａと、＋Ｚ方向へ向うに従って、Ｙ軸方向において中心から遠ざかる方向へ広がる傾斜を有する傾斜部１２０ｂとを備える。本実施の形態において、本体ユニット１２０は、天井や壁等の造営材である被取り付け部１５０に、ボルト等の固定具を用いて固定される。
【００１５】
図３は、本発明の実施の形態１にかかる本体ユニット１２０を示す斜視図である。本実施の形態にかかる本体ユニット１２０の収容凹部１２０ａは、矩形状に形成された底面部１２０ａａと、底面部１２０ａａの長辺の端部から−Ｚ方向に延びる一対の側面部１２０ａｂとを有する凹形状である。収納凹部１２０ａには、底面部１２０ａａと対向する開口から、光源ユニット１１０が挿入されるようになっており、照明器具１００が組み立てられた状態において、収納凹部１２０ａの内部には光源ユニット１１０の一部が収納されている。
【００１６】
本実施の形態にかかる本体ユニット１２０は、収容凹部１２０ａに挿入される光源ユニット１１０を係止して保持する第１のバネ１２２ａ及び第２のバネ１２２ｂをさらに有する。第１のバネ１２２ａは、収容凹部１２０ａの底面部１２０ａａ、かつ本体ユニット１２０のＸ軸方向（長手方向）両端のうちの一方に設けられる。第２のバネ１２２ｂは、収容凹部１２０ａの底面部１２０ａａ、かつ本体ユニット１２０のＸ軸方向（長手方向）両端のうちの他方に設けられ、第１のバネ１２２ａと対をなす。
【００１７】
第１のバネ１２２ａ及び第２のバネ１２２ｂは、円弧状のバネ円弧部と、バネ円弧部の一端に設けられ、底面部１２０ａａに固定されるバネ固定部と、バネ円弧部の他端に設けられ、光源ユニット１１０と本体ユニット１２０とを係止するバネ突端部とを有し、ステンレス材料や、バネ鋼材などの弾性材料で形成される。第１のバネ１２２ａ及び第２のバネ１２２ｂは、上述した構造や材料に限られることはなく、板材の弾性材料を曲げて形成してもよいし、線材の弾性材料を曲げて形成してもよい。
【００１８】
本実施の形態にかかる本体ユニット１２０は、商用電源から電力供給を受けるための電源線が挿し込まれる端子台１２１をさらに有する。電源線は、本体ユニット１２０の天井側から収容凹部１２０ａ内に引き込まれる。
【００１９】
図４は、本発明の実施の形態１にかかる光源ユニット１１０を示す断面図であり、図１のＡ−Ａ断面における光源ユニット１１０を示す。本実施の形態にかかる光源ユニット１１０は、第１の面３ａに発光素子１が実装された基板３と、第１の面３ａと対向する第２の面３ｂが接続するように基板３が取り付けられたフレーム１０と、発光素子１を覆い、フレーム１０に取り付けられたカバー２０とを備える。本実施の形態において光源モジュールは、発光素子１と基板３とを含む。
【００２０】
本実施の形態にかかる光源ユニット１１０のカバー２０は、発光素子１に向って突出する延設部２２ａ，２２ｂと、発光素子１と対向する面を有する主部２１と、フレーム１０への取り付けに使用する引っ掛け部２４ａ，２４ｂが接続された第１の側部２３ａ，２３ｂとを有する。ここで、主部２１が有する発光素子１と対向する面は、主部２１が有する面のうち＋Ｚ方向に発光素子１がある面のみを示す。
【００２１】
本実施の形態において、カバー２０は、２種類の樹脂材料を用いて一体成形され、カバー２０のうち主部２１及び第１の側部２３ａ，２３ｂ用いられる樹脂よりも、延設部２２ａ，２２ｂに用いられる樹脂の方が、反射率が高い。具体的には、カバー２０のうち主部２１及び第１の側部２３ａ，２３ｂには、光透過性材料を主材料とするポリカーボネートやアクリル等の樹脂が用いられる。そして、カバー２０のうち延設部２２ａ，２２ｂには、反射率の高い反射材料を主材料とするポリカーボネートやアクリル等の樹脂が用いられる。主部２１及び第１の側部２３ａ，２３ｂを構成する材料のうちに光透過性材料が占める割合、及び延設部２２ａ，２２ｂを構成する材料のうちに反射材料が占める割合は特に限定しない。また、反射材料の反射率は特に限定されないが、反射率９０％以上であることが好ましい。
【００２２】
本実施の形態において、Ｙ軸方向の中央付近に発光素子１が配置される。そのため、発光素子１よりも＋Ｙ側にある延設部２２ｂは、第１の側部２３ｂから−Ｙ方向に向って突出し、発光素子１よりも−Ｙ側にある延設部２２ａは、第１の側部２３ａから＋Ｙ方向に向って突出する。ここで、延設部２２ｂは、第１の側部２３ｂから−Ｙ方向に向って突出するとしたが、これに限られることはなく、例えば、主部２１から−Ｙ方向に向って突出してもよい。もちろん、延設部２２ａは、第１の側部２３ａから＋Ｙ方向に向って突出するとしたが、これに限られることはなく、例えば、主部２１から−Ｙ方向に向って突出してもよい。
【００２３】
また、図４において、延設部２２ａ，２２ｂの突端は、延設部２２ａ，２２ｂの根元よりも＋Ｚ側にあるが、これに限られることはなく、延設部２２ａ，２２ｂの突端と延設部２２ａ，２２ｂの根元とが同じＺ平面上にあってもよい。なお、延設部２２ａの根元とは、延設部２２ａの端部のうち第１の側部２３ａに接続する部分であり、延設部２２ｂの根元とは、延設部２２ｂの端部のうち第１の側部２３ｂに接続する部分である。延設部２２ａの突端とは、延設部２２ａの端部のうち発光素子１に近い方であり、延設部２２ｂの突端とは、延設部２２ｂの端部のうち発光素子１に近い方である。
【００２４】
本実施の形態にかかる光源ユニット１１０のフレーム１０は、水平方向（図４におけるＹ軸方向）においてカバー２０の第１の側部２３ａよりも発光素子１側に、第１の側部２３ａと平行である第２の側部１５ａと、延設部２２ａと交差する方向、かつ水平方向に交差する方向に向って突出する第１の支持部１２ａとを有する。また、本実施の形態にかかる光源ユニット１１０のフレーム１０は、水平方向においてカバー２０の第１の側部２３ｂよりも発光素子１側に、第１の側部２３ｂと平行である第２の側部１５ｂと、延設部２２ｂと交差する方向、かつ水平方向に交差する方向に向って突出する第１の支持部１２ｂとを有する。本実施の形態において、水平方向とは、Ｙ軸方向を示し、床面と平行な方向である。
【００２５】
第１の支持部１２ａの端部のうちカバー２０の主部２１に近い方の第１の端部は、水平方向において第１の側部２３ａよりも発光素子１側に、かつ、水平方向及び垂直方向（図４におけるＺ軸方向）の両方向において延設部２２ａの突端よりも延設部２２ａの根元側にある。第１の支持部１２ｂの端部のうちカバー２０の主部２１に近い方の第１の端部は、水平方向において第１の側部２３ｂよりも発光素子１側に、かつ、水平方向及び垂直方向の両方向において延設部２２ｂの突端よりも延設部２２ｂの根元側にある。本実施の形態において、垂直方向とは、Ｚ軸方向を示し、床面と垂直な方向である。
【００２６】
本実施の形態にかかる光源ユニット１１０のフレーム１０は、延設部２２ａと交差する方向、かつ垂直方向に交差する方向に向って突出する第２の支持部１３ａをさらに有する。また、本実施の形態にかかる光源ユニット１１０のフレーム１０は、延設部２２ｂと交差する方向、かつ垂直方向に交差する方向に向って突出する第２の支持部１３ｂをさらに有する。第２の支持部１３ａの端部のうち発光素子１に近い方の第２の端部は、水平方向において第１の側部２３ａよりも発光素子１側に、かつ、水平方向及び垂直方向の両方向において延設部２２ａの突端よりも延設部２２ａの根元側にある。第２の支持部１３ｂの端部のうち発光素子１に近い方の第２の端部は、水平方向において第１の側部２３ｂよりも発光素子１側に、かつ、水平方向及び垂直方向の両方向において延設部２２ｂの突端よりも延設部２２ｂの根元側にある。
【００２７】
本実施の形態にかかる光源ユニット１１０のフレーム１０は、接着剤やねじ等の接続部品によって基板３が取り付けられる光源取り付け部１１と、カバー２０の引っ掛け部２４ａが取り付けられる被引っ掛け部１４ａと、カバー２０の引っ掛け部２４ｂが取り付けられる被引っ掛け部１４ｂとを有する。被引っ掛け部１４ａ，１４ｂは、＋Ｚ方向に突出するように湾曲しており、鉤形状である。−Ｚ方向に被引っ掛け部１４ａ，１４ｂを見ると、被引っ掛け部１４ａ，１４ｂは、Ｕ字形状である。カバー２０の引っ掛け部２４ａ，２４ｂは、フレーム１０の被引っ掛け部１４ａ，１４ｂの湾曲に対応するように湾曲しており、湾曲部分の曲率は、被引っ掛け部１４ａ，１４ｂよりも小さい。
【００２８】
図５は、本発明の実施の形態１にかかる光源ユニット１１０を示す断面拡大図であり、図４において破線で囲まれたＢの部分の拡大図である。図５に示すように、第１の支持部１２ｂの端部のうちカバー２０の主部２１に近い方の第１の端部は、一点鎖線で囲まれた領域Ｒ内にある。領域Ｒは、延設部２２ｂと、第１の側部２３ｂの一部とを三辺のうちの二辺に含む三角形形状である。すなわち、第１の支持部１２ｂの端部のうちカバー２０の主部２１に近い方の第１の端部は、延設部２２ｂと、第１の側部２３ｂの一部とを三辺のうちの二辺に含む三角形によって形成される領域Ｒ内にある。
【００２９】
また、第２の支持部１３ｂの端部のうち発光素子１に近い方の第２の端部は、領域Ｒ内にある。そして、第１の支持部１２ｂの端部のうちカバー２０の主部２１に近い方の第１の端部と、第２の支持部１３ｂの端部のうち発光素子１に近い方の第２の端部とで、点線で囲まれた領域Ｃに示す角部を形成する。
【００３０】
本実施の形態にかかる光源ユニット１１０は、フレーム１０の第２の支持部１３ｂがカバー２０の延設部２２ｂと交差する方向に突出しているので、延設部２２ｂの一部と、第１の側部２３ｂの一部と、第２の支持部１３ｂとで形成される空間Ｓを有する。
【００３１】
ここで、本実施の形態において、上記の図５の説明における第１の支持部１２ｂと、第２の支持部１３ｂと、延設部２２ｂと、第１の側部２３ｂとの関係は、第１の支持部１２ａと、第２の支持部１３ａと、延設部２２ａと、第１の側部２３ａとの関係にも言えることは言うまでもない。
【００３２】
以上のように、本実施の形態にかかる光源ユニット１１０は、発光素子１に向って突出する延設部２２ａ，２２ｂを有するカバー２０と、延設部２２ａ，２２ｂと交差する方向、かつ水平方向に交差する方向に向って突出する第１の支持部１２ａ，１２ｂを有するフレーム１０とを備えており、第１の支持部１２ａ，１２ｂの端部のうち主部２１に近い方の第１の端部は、水平方向及び垂直方向の両方向において延設部２２ａ，２２ｂの突端よりも延設部２２ａ，２２ｂの根元側にある。そのため、カバーの変形を抑制することができる。
【００３３】
光源ユニット１１０を本体ユニット１２０から取り外す際に、本体ユニット１２０の長手方向両端のうちの一方にある第１のバネ１２２ａと、本体ユニット１２０の長手方向両端のうちの他方にある第２のバネ１２２ｂとに、同じ力がかからないことがある。第１のバネ１２２ａと第２のバネ１２２ｂとにかかる力が異なると、光源ユニット１１０は＋Ｚ方向に突出するように曲がる。すなわち、光源ユニット１１０に＋Ｚ方向の力がかかる。光源ユニット１１０に＋Ｚ方向の力がかかると、光源ユニット１１０のカバー２０は水平方向外向きに広がろうとする。つまり、光源ユニット１１０を本体ユニット１２０から取り外す際に、光源ユニット１１０のカバー２０には、＋Ｚ方向の力と、水平方向外向きの力とが加わることがある。
【００３４】
以下に、本実施の形態にかかる光源ユニット１１０が奏する効果を、図５を用いて説明する。上述したように、光源ユニット１１０を本体ユニット１２０から取り外す際に、光源ユニット１１０のカバー２０には、＋Ｚ方向の力と、水平方向外向きの力とが加わることがある。つまり、図５を用いて説明すれば、カバー２０の延設部２２ｂ及び第１の側部２３ｂに、＋Ｚ方向の力と、＋Ｙ方向の力とが加わることがある。
【００３５】
まず、延設部２２ｂに＋Ｙ方向の力が加わると、延設部２２ｂと交差する方向、かつ水平方向に交差する方向に向って突出する第１の支持部１２ｂに、延設部２２ｂは接触する。第１の支持部１２ｂの端部のうち主部２１に近い方の第１の端部が、水平方向及び垂直方向の両方向において延設部２２ｂの突端よりも延設部２２ｂの根元側にあるからである。延設部２２ｂに＋Ｙ方向の力が加わることは変わらないが、延設部２２ｂが第１の支持部１２ｂに接触することによって、その力がカバー２０の変形に影響することは抑制される。すなわち、第１の支持部１２ｂは、延設部２２ｂに加わった＋Ｙ方向の力がカバー２０の変形に影響することを抑制する。
【００３６】
また、延設部２２ｂに＋Ｙ方向の力が加わると、延設部２２ｂと交差する方向、かつ垂直方向に交差する方向に向って突出する第２の支持部１３ｂに、延設部２２ｂは接触する。第２の支持部１３ｂの端部のうち発光素子１に近い方の第２の端部が、水平方向及び垂直方向の両方向において延設部２２ｂの突端よりも延設部２２ｂの根元側にあるからである。延設部２２ｂに＋Ｙ方向の力が加わることは変わらないが、延設部２２ｂが第２の支持部１３ｂに接触することによって、その力がカバー２０の変形に影響することは抑制される。すなわち、第２の支持部１３ｂは、延設部２２ｂに加わった＋Ｙ方向の力がカバー２０の変形に影響することを抑制する。
【００３７】
つまり、本実施の形態において、延設部２２ｂが第１の支持部１２ｂに接触することによって、延設部２２ｂに加わった＋Ｙ方向の力は、カバー２０の変形に影響することを抑制されるだけでなく、延設部２２ｂが第２の支持部１３ｂに接触することによっても、カバー２０の変形に影響することを抑制される。言い換えれば、延設部２２ｂが、第１の支持部１２ｂの端部のうち主部２１に近い方の第１の端部と、第２の支持部１３ｂの端部のうち発光素子１に近い方の第２の端部とで形成される角部に接触する方が、延設部２２ｂが第１の支持部１２ｂと第２の支持部１３ｂのどちらか一方だけに接触するよりも、延設部２２ｂに加わった＋Ｙ方向の力がカバー２０の変形に影響することを抑制できる。
【００３８】
次に、延設部２２ｂに＋Ｚ方向の力が加わると、延設部２２ｂと交差する方向、かつ水平方向に交差する方向に向って突出する第１の支持部１２ｂに、延設部２２ｂは接触する。第１の支持部１２ｂの端部のうち主部２１に近い方の第１の端部が、水平方向及び垂直方向の両方向において延設部２２ｂの突端よりも延設部２２ｂの根元側にあるからである。延設部２２ｂが第１の支持部１２ｂに接触することによって、延設部２２ｂに加わった＋Ｚ方向の力は、カバー２０の変形に影響することを抑制される。
【００３９】
なお、本実施の形態において、延設部２２ｂが第１の支持部１２ｂに接触することによって、延設部２２ｂに加わった＋Ｚ方向の力が、カバー２０の変形に影響することを最も抑制できるのは、第１の支持部１２ｂが、延設部２２ｂと交差する方向、かつ水平方向に交差する方向であって、垂直方向と平行な方向に向って突出する場合である。つまり、第１の支持部１２ｂが、水平方向に直交する方向に突出する場合である。延設部２２ｂに＋Ｚ方向の力が加わり、延設部２２ｂと交差する方向、かつ水平方向に交差する方向であって、垂直方向と平行な方向に向って突出する第１の支持部１２ｂに、延設部２２ｂが接触した場合、接触点における第１の支持部１２ｂの断面性能が最も高いからである。
【００４０】
さらに、本実施の形態において、光源ユニット１１０は、延設部２２ｂの一部と、第１の側部２３ｂの一部と、第２の支持部１３ｂとで構成される空間Ｓを有するので、カバー２０の延設部２２ｂ及び第１の側部２３ｂに加わった＋Ｚ方向の力と、＋Ｙ方向の力とがカバー２０の変形に影響することを抑制することができる。カバー２０の延設部２２ｂ及び第１の側部２３ｂに加わった＋Ｚ方向の力と、＋Ｙ方向の力とが、カバー２０の変形に影響することを、空間Ｓの形状を変形させることによって、抑制するからである。
【００４１】
また、本実施の形態において、光源ユニット１１０のフレーム１０は、水平方向においてカバー２０の第１の側部２３ｂよりも発光素子１側に、第１の側部２３ｂと平行である第２の側部１５ｂを有する。そのため、カバー２０の延設部２２ｂ及び第１の側部２３ｂに−Ｙ方向の力が加わった場合に、−Ｙ方向の力がカバー２０の変形に影響することを抑制することができる。
【００４２】
照明器具１００の取り付け作業者等がカバー２０を把持した際に、延設部２２ｂ及び第１の側部２３ｂに−Ｙ方向の力が加わることがある。本実施の形態では、延設部２２ｂ及び第１の側部２３ｂに−Ｙ方向の力が加わると、第１の側部２３ｂが第２の側部１５ｂに接触するので、第２の側部１５ｂによって、−Ｙ方向の力がカバー２０の変形に影響することを抑制することができる。特に、本実施の形態では、第１の側部２３ｂと第２の側部１５ｂとが平行であるので、第１の側部２３ｂと第２の側部１５ｂとの接触面積が広く、カバー２０からフレーム１０へかかる応力を小さくすることができ、−Ｙ方向の力がカバー２０の変形に影響することをさらに抑制することができる。
【００４３】
延設部２２ｂと、第１の支持部１２ｂと、第２の支持部１３ｂとの関係は、延設部２２ａと、第１の支持部１２ａと、第２の支持部１３ａの関係と同じである。そのため、光源ユニット１１０を本体ユニット１２０から取り外す際に、光源ユニット１１０のカバー２０の延設部２２ａ及び第１の側部２３ａには、＋Ｚ方向の力と、水平方向外向きの力である−Ｙ方向の力とが加わることがある。本実施の形態において、延設部２２ａに加わった＋Ｚ方向の力及び−Ｙ方向の力は、延設部２２ａが第１の支持部１２ａに接触することによって、カバー２０の変形に影響することを抑制される。さらに、延設部２２ａに加わった−Ｙ方向の力は、延設部２２ａが第２の支持部１３ａに接触することによっても、カバー２０の変形に影響することを抑制される。
【００４４】
したがって、本実施の形態において、延設部２２ａに加わった−Ｙ方向の力は、延設部２２ａが第１の支持部１２ａに接触することによって、カバー２０の変形に影響することを抑制されるだけでなく、第２の支持部１３ａに接触することによっても、カバー２０の変形に影響することを抑制される。
【００４５】
さらに、本実施の形態において、光源ユニット１１０は、延設部２２ａの一部と、第１の側部２３ａの一部と、第２の支持部１３ａとで形成される空間Ｓを有するので、カバー２０の延設部２２ａ及び第１の側部２３ａに加わった＋Ｚ方向の力と、−Ｙ方向の力とが、カバー２０の変形に影響することを抑制することができる。
【００４６】
また、本実施の形態において、光源ユニット１１０のフレーム１０は、水平方向においてカバー２０の第１の側部２３ａよりも発光素子１側に、第１の側部２３ａと平行である第２の側部１５ａを有するので、カバー２０の延設部２２ａ及び第１の側部２３ａに加わった＋Ｙ方向の力が、カバー２０の変形に影響することを抑制することができる。
【００４７】
以上より、本実施の形態にかかる光源ユニット１１０は、第１の支持部１２ａ，１２ｂによって、カバー２０の延設部２２ａ，２２ｂ及び第１の側部２３ａ，２３ｂに加わった水平方向外向きの力が、カバー２０の変形に影響することを抑制できるので、カバー２０の変形を抑制することができる。そして、本実施の形態にかかる光源ユニット１１０は、第２の支持部１３ａ，１３ｂによって、カバー２０の延設部２２ａ，２２ｂ及び第１の側部２３ａ，２３ｂに加わった水平方向外向きの力が、カバー２０の変形に影響することをさらに抑制できるので、カバー２０の変形をさらに抑制することができる。
【００４８】
また、本実施の形態にかかる光源ユニット１１０は、第１の支持部１２ａ，１２ｂによって、カバー２０の延設部２２ａ，２２ｂ及び第１の側部２３ａ，２３ｂに加わった＋Ｚ方向の力（床面から本体ユニット１２０の取り付け面に向う方向の力）が、カバー２０の変形に影響することを抑制できるので、カバー２０の変形をさらに抑制することができる。
【００４９】
さらに、本実施の形態にかかる光源ユニット１１０は、延設部２２ａ，２２ｂの一部と、第１の側部２３ａ，２３ｂの一部と、第２の支持部１３ａ，１３ｂとで形成される空間によって、カバー２０の延設部２２ａ，２２ｂ及び第１の側部２３ａ，２３ｂに加わった水平方向外向きの力及び＋Ｚ方向の力が、カバー２０の変形に影響することを抑制できる。そのため、カバー２０の変形をさらに抑制することができる。
【００５０】
また、本実施の形態にかかる光源ユニット１１０は、第２の側部１５ａ，１５ｂによって、カバー２０の延設部２２ａ，２２ｂ及び第１の側部２３ａ，２３ｂに加わった水平方向内向きが、カバー２０の変形に影響することを抑制できる。そのため、カバー２０の変形をさらに抑制することができる。
【００５１】
さらに、本実施の形態にかかる光源ユニット１１０の延設部２２ａ，２２ｂには、反射率の高い反射材料を主材料とするポリカーボネートやアクリル等の樹脂が用いられるので、カバー２０からの発光効率を上げることができる。発光素子１から発せられた光は、カバー２０の主部２１を通して発光する光と、カバー２０の内面で反射する光とに分けられる。本実施の形態において、カバー２０の内面で反射した光は、延設部２２ａ，２２ｂで再度反射して、主部２１を通して発光するので、従来よりも光の取り出し効率を向上させることができ、カバー２０からの発光効率を上げることができる。
【００５２】
本実施の形態において、光源ユニット１１０は、延設部２２ａ，２２ｂの一部と、第１の側部２３ａ，２３ｂの一部と、第２の支持部１３ａ，１３ｂとで形成される空間Ｓを有するとしたが、空間Ｓを有さないとしてもよい。つまり、第２の支持部１３ａ，１３ｂの代わりに、延設部２２ａ，２２ｂと平行な方向に向って突出する第３の支持部を有する光源ユニットとしてもよい。第３の支持部のうち発光素子１に近い方の第３の端部は、水平方向において第１の側部２３ａ，２３ｂよりも発光素子１側に、かつ、水平方向及び垂直方向の両方向において延設部２２ａ，２２ｂの突端よりも延設部２２ａ，２２ｂの根元側にあり、第１の支持部１２ａ，１２ｂと角部を形成する。
【００５３】
第２の支持部１３ａ，１３ｂの代わりに、延設部２２ａ，２２ｂと平行な方向に向って突出する第３の支持部を有する場合、延設部２２ａ，２２ｂに＋Ｚ方向の力が加わると、延設部２２ａ，２２ｂは第１の支持部１２ａ，１２ｂ及び第３の支持部に接触する。延設部２２ａ，２２ｂは、光源ユニットが空間Ｓを有する場合よりも、接触面積を増やすことができるので、カバー２０からフレーム１０へかかる応力が小さくなる。そのため、カバー２０の延設部２２ａ，２２ｂに加わった＋Ｚ方向の力が、カバー２０の変形に影響することをさらに抑制でき、カバー２０の変形を抑制することができる。
【００５４】
また、本実施の形態において、光源ユニット１１０は、第１の側部２３ａ，２３と第２の側部１５ａ，１５ｂとが平行であるとしたが、平行でなくてもよい。カバー２０の延設部２２ａ，２２ｂ及び第１の側部２３ａ，２３ｂに水平方向内向きの力が加わった場合に、第１の側部２３ａ，２３ｂが第２の側部１５ａ，１５ｂに接触すればよい。
【００５５】
本実施の形態にかかる光源ユニット１１０は、図４に示すように、延設部２２ａと延設部２２ｂとがＹ軸及びＺ軸に対して対称となっているが、対称でなくてもよい。第１の支持部１２ａと第１の支持部１２ｂとの関係、第２の支持部１３ａと第２の支持部１３ｂとの関係、第１の側部２３ａと第１の側部２３ｂとの関係も同様に、図４ではＹ軸及びＺ軸に対して対称となっているが、対称でなくてもよい。
【００５６】
また、本実施の形態にかかる光源ユニット１１０は、発光素子１よりも−Ｙ側に、カバー２０が延設部２２ａを有し、フレーム１０が第１の支持部１２ａと第２の支持部１３ａとを有し、発光素子１よりも＋Ｙ側に、カバー２０が延設部２２ｂを有し、フレーム１０が第１の支持部１２ｂと第２の支持部１３ｂとを有する。しかしながら、本実施の形態にかかる光源ユニット１１０は、発光素子１よりも−Ｙ側に、カバー２０が延設部２２ａを有し、フレーム１０が第１の支持部１２ａと第２の支持部１３ａとを有し、延設部２２ｂと第１の支持部１２ｂと第２の支持部１３ｂとを有さない構成としてもよい。もちろん、本実施の形態にかかる光源ユニット１１０は、発光素子１よりも＋Ｙ側に、カバー２０が延設部２２ｂを有し、フレーム１０が第１の支持部１２ｂと第２の支持部１３ｂとを有し、延設部２２ａと第１の支持部１２ａと第２の支持部１３ａとを有さない構成としてもよい。
【００５７】
さらに、本実施の形態にかかる光源ユニット１１０の延設部２２ａ，２２ｂには、反射率の高い反射材料を主材料とするポリカーボネートやアクリル等の樹脂が用いられるとしたが、主部２１及び第１の側部２３ａ，２３ｂと同じ樹脂を用いてもよい。延設部２２ａ，２２ｂに反射率の高い反射材料を主材料とするポリカーボネートやアクリル等の樹脂を用いずにカバー２０からの発光効率を上げる場合は、第１の端部と第２の端部とで形成される角部と延設部２２ａ，２２ｂとの間に、発光素子１に向って延びる板状又はシート状の反射部材を挟めばよい。
【００５８】
ここで、第１の支持部１２ａ，１２ｂの代わりに第４の支持部を有し、第２の支持部１３ａ，１３ｂの代わりに第５の支持部を有する第１の場合を考える。第４の支持部は、延設部２２ａ，２２ｂと交差する方向、かつ水平方向に交差する方向に向って突出し、端部のうち主部２１に近い方の第４の端部が、水平方向において延設部２２ａ，２２ｂの突端よりも発光素子１側にある。第５の支持部は、延設部２２ａ，２２ｂと平行な方向に向って突出し、端部のうち発光素子１に近い方の第５の端部が、第４の端部と角部を形成する。
【００５９】
第１の場合において、第５の支持部及び延設部２２ａ，２２ｂが水平方向に平行であると、延設部２２ａ，２２ｂに加わった水平方向外向きの力は、カバー２０の変形に影響することを第５の支持部によって抑制されることなく、カバー２０の変形にそのまま影響する。例え、第５の支持部及び延設部２２ａ，２２ｂが水平方向に平行でなくても、第５の支持部は、延設部２２ａ，２２ｂに加わった水平方向外向きの力がカバー２０の変形に影響することを抑制しきれない。
【００６０】
第５の支持部及び延設部２２ａ，２２ｂが水平方向に平行でない場合、延設部２２ａ，２２ｂに加わった水平方向外向きの力は、そのまま第５の支持部に伝わる。延設部２２ａ，２２ｂに加わった水平方向外向きの力によって生じるカバー２０の変形の仕方と、第５の支持部に伝わった水平方向外向きの力によって生じるフレーム１０の変形の仕方とは、カバー２０とフレーム１０と剛性の違いによる影響を除けば、同じであるからである。
【００６１】
一方、本実施の形態にかかる光源ユニット１１０は、上述したように、カバー２０の変形を抑制することができる。
【００６２】
次に、第１の場合の光源ユニットが、延設部２２ａ，２２ｂと第５の支持部との間に、発光素子１から発せられる光のうちカバー２０の内面で反射した光を再度反射させて、主部２１を通して発光させるための反射部材を挟んでいる第２の場合を考える。反射部材は、発光素子１に向って延びる板状又はシート状のものである。第２の場合において、第５の支持部は、延設部２２ａ，２２ｂに加わった水平方向外向きの力がカバー２０の変形に影響することを抑制しきれないので、延設部２２ａ，２２ｂに加わった水平方向外向きの力が加わると、カバー２０は変形してしまう。カバー２０が変形してしまうと、延設部２２ａ，２２ｂと第２の支持部との間に挟んでいた反射部材が外れてしまう。
【００６３】
第２の場合において、延設部２２ａ，２２ｂに、反射率の高い反射材料を主材料とするポリカーボネートやアクリル等の樹脂ではなく、主部２１及び第１の側部２３ａ，２３ｂと同じ樹脂が用いられている場合、反射部材が外れてしまうと、カバー２０からの発光効率が下がってしまう。
【００６４】
一方、本実施の形態にかかる光源ユニット１１０は、上述したように、カバー２０の変形を抑制できるので、延設部２２ａ，２２ｂに、反射率の高い反射材料を主材料とするポリカーボネートやアクリル等の樹脂ではなく、主部２１及び第１の側部２３ａ，２３ｂと同じ樹脂が用いられていたとしても、カバー２０からの発光効率を上げることができる。
【００６５】
なお、本実施の形態において、光源ユニット１１０にかかる水平方向外向きの力及び床面から本体ユニット１２０の取り付け面に向う方向の力は、光源ユニット１１０を本体ユニット１１０から取り外す際に発生するとして説明したが、あくまで一例であり、水平方向外向きの力及び床面から本体ユニット１２０の取り付け面に向う方向の力が発生する理由はこれに限定されない。また、光源ユニット１１０にかかる水平方向内向きの力は、照明器具１００の取り付け作業者等がカバー２０を把持した際に発生するとして説明したが、あくまで一例であり、水平方向内向きの力が発生する理由はこれに限定されない。
【００６６】
また、本実施の形態における発光素子１には、ＬＥＤ（Ｌｉｇｈｔ  Ｅｍｉｔｔｉｎｇ  Ｄｉｏｄｅ）や有機エレクトロルミネッセンス等が考えられるが、特に限定されるものではない。
【００６７】
実施の形態２．
次に、本発明の実施の形態２にかかる光源ユニット３１０について説明する。本発明の実施の形態２では、本発明の実施の形態１と相違する部分について説明し、同一又は対応する部分についての説明は省略する。本発明の実施の形態２にかかる光源ユニット３１０は、本発明の実施の形態１にかかる光源ユニット１１０とは、延設部の長さと、延設部が突起部を有する点が異なる。
【００６８】
図６は、本発明の実施の形態２にかかる光源ユニット３１０を示す断面図である。本実施の形態にかかる光源ユニット３１０は、発光素子１に向って突出する延設部４２ａ，４２ｂを有するカバー４０を備える。本実施の形態にかかるカバー４０の延設部４２ａ，４２ｂは、第１の支持部１２ａ，１２ｂよりも発光素子１側に、フレーム１０に向って突出する突起部４２１ａ，４２１ｂを有し、発光素子１が実装された基板３に突端が接する。
【００６９】
本実施の形態にかかる光源ユニット３１０は、発光素子１に向って突出し、発光素子１が実装された基板３に突端が接する延設部４２ａ，４２ｂを有するカバー４０を備えるので、カバー４０からの発光効率を上げることができる。発光素子１から発せられた光は、カバー４０の主部２１を通して発光する光と、カバー４０の内面で反射する光とに分けられる。本実施の形態において、発光素子１が実装された基板３に、延設部４２ａ，４２ｂの突端が接するので、カバー４０の内面で反射した光うち、延設部４２ａ，４２ｂの裏側（フレーム１０側）に回り込んでしまう光が少なくなるからである。
【００７０】
図７は、本発明の実施の形態２にかかる光源ユニット３１０を示す断面拡大図であり、図６において破線で囲まれたＤの部分の拡大図である。図７に示すように、本実施の形態にかかるカバー４０の延設部４２ｂは、第１の支持部１２ｂよりも発光素子１側に突起部４２１ｂを有する。本実施の形態にかかる光源ユニット３１０は、カバー４０の延設部４２ｂが第１の支持部１２ａ，１２ｂよりも発光素子１側に、フレーム１０に向って突出する突起部４２１ｂを有するので、延設部４２ｂに加わった＋Ｙ方向の力が、カバー４０の変形に影響することを、本発明の実施の形態１にかかる光源ユニット１１０よりも抑制できる。延設部４２ｂに＋Ｙ方向の力が加わった場合に、突起部４２１ｂは第１の支持部１２ｂと接触する。突起部４２１ｂと第１の支持部１２ｂとが接触した時の接触面積は、本発明の実施の形態１にかかる延設部２２ｂと第１の支持部１２ｂとが接触した時の接触面積よりも広いからである。
【００７１】
ここで、本実施の形態において、上記の図７の説明における延設部４２ｂの突起部４２１ｂと第１の支持部１２ｂとの関係は、延設部４２ａの突起部４２１ａと第１の支持部１２ａとの関係にも言えることは言うまでもない。
【００７２】
実施の形態３．
次に、本発明の実施の形態３にかかる光源ユニット５１０について説明する。本発明の実施の形態３では、本発明の実施の形態１及び本発明の実施の形態２と相違する部分について説明し、同一又は対応する部分についての説明は省略する。本発明の実施の形態３にかかる光源ユニット５１０は、本発明の実施の形態１にかかる光源ユニット１１０及び本発明の実施の形態２にかかる光源ユニット３１０とは、フレームの形状と、延設部が押さえ部を有する点が異なる。
【００７３】
図８は、本発明の実施の形態３にかかる光源ユニット５１０を示す断面図である。本実施の形態にかかる光源ユニット５１０は、発光素子１に向って突出する延設部６２ａ，４６ｂを有するカバー６０を備える。本実施の形態にかかるカバー６０の延設部６２ａ，６２ｂは、突端に基板３を＋Ｚ方向に押さえる押さえ部６２２ａ，６２２ｂを有する。
【００７４】
本実施の形態にかかる光源ユニット５１０は、カバー６０の延設部６２ａ，６２ｂが突端に基板３を＋Ｚ方向に押さえる押さえ部６２２ａ，６２２ｂを有するので、基板３の落下を防止することができる。すなわち、本実施の形態にかかる光源ユニット５１０は、発光素子１の落下を防止することができる。
【００７５】
本実施の形態にかかる光源ユニット５１０のフレーム３０は、本発明の実施の形態１及び本発明の実施の形態２にかかる光源ユニットのフレーム１０が有する第２の支持部１３ａ，１３ｂを有さないが、カバー６０の変形を抑制できる。本実施の形態にかかる光源ユニット５１０は、本発明の実施の形態１及び本発明の実施の形態２と同様に、第１の支持部１２ａ，１２ｂによって、カバー６０の延設部６２ａ，６２ｂ及び第１の側部２３ａ，２３ｂに加わった水平方向外向きの力が、カバー６０の変形に影響することを抑制できるからである。
【００７６】
また、本実施の形態にかかる光源ユニット５１０は、本発明の実施の形態２にかかる光源ユニット３１０と同様に、延設部６２ａ，６２ｂが突出部４２１ａ，４２１ｂを有するので、延設部６２ａ，６２ｂに加わった水平方向外向きの力が、カバー６０の変形に影響することをさらに抑制できる。
【００７７】
実施の形態４．
次に、本発明の実施の形態４にかかる光源ユニット７１０について説明する。本発明の実施の形態４では、本発明の実施の形態１から本発明の実施の形態３と相違する部分について説明し、同一又は対応する部分についての説明は省略する。本発明の実施の形態４にかかる光源ユニット７１０は、本発明の実施の形態１にかかるから本発明の実施の形態３にかかる光源ユニットとは、フレームの形状が異なる。
【００７８】
図９は、本発明の実施の形態４にかかる光源ユニット７１０を示す断面図である。本実施の形態にかかる光源ユニット７１０は、発光素子１に向って突出する延設部８２ａ，８２ｂを有するカバー８０を備える。延設部８２ａ，８２ｂは、第２の支持部１３ａ，１３ｂよりも発光素子１側にフレーム５０に向って突出する突起部８２１ａ，８２１ｂを有する。
【００７９】
図９に示すように、本実施の形態にかかる光源ユニット７１０のフレーム５０は、本発明の実施の形態１及び本発明の実施の形態２にかかる光源ユニットのフレーム１０が有する第１の支持部１２ａ，１２ｂを有さない形状である。しかしながら、本実施の形態にかかる光源ユニット７１０は、カバー８０の変形を抑制できる。本実施の形態にかかる光源ユニット７１０は、本発明の実施の形態１及び本発明の実施の形態２と同様に、第２の支持部１３ａ，１３ｂによって、カバー８０の延設部８２ａ，８２ｂ及び第１の側部２３ａ，２３ｂに加わった水平方向外向きの力が、カバー８０の変形に影響することを抑制できるからである。
【００８０】
また、本実施の形態にかかる光源ユニット５１０は、延設部８２ａ，８２ｂが突出部８２１ａ，８２１ｂを有するので、延設部８２ａ，８２ｂに加わった水平方向外向きの力が、カバー８０の変形に影響することをさらに抑制できる。
【００８１】
なお、本発明は、発明の範囲内において、各実施の形態や変形例を自由に組み合わせること、各実施の形態を適宜、変形、省略することが可能である。各実施の形態において例示された各構成要素の寸法、材質、形状、それらの相対配置等は、本発明が適用される装置の構成や各種条件により適宜変更されるものであり、本発明はそれらの例示に限定されるものではない。また、各図における各構成要素の寸法は、実際の寸法と異なる場合がある。
【符号の説明】
【００８２】
１  発光素子、３  基板、３ａ  第１の主面、３ｂ  第２の主面、１０，３０，５０  フレーム、１１  光源取り付け部、１２ａ，１２ｂ  第１の支持部、１３ａ，１３ｂ  第２の支持部、１４ａ，１４ｂ  被引っ掛け部、１５ａ，１５ｂ  第２の側部、２０，４０，６０，８０  カバー、２１  主部、２２ａ，２２ｂ，４２ａ，４２ｂ，６２ａ，６２ｂ，８２ａ，８２ｂ  延設部、２３ａ，２３ｂ  第１の側部、２４ａ，２４ｂ  引っ掛け部、１００  照明器具、１１０，３１０，５１０，７１０  光源ユニット、１２０  本体ユニット、１２０ａ  収納凹部、１２０ａａ  底面部、１２０ａｂ  側面部、１２０ｂ  傾斜部、１５０  被取り付け部。
【図１】
2018152263.tif 000003
【図２】
2018152263.tif 000004
【図３】
2018152263.tif 000005
【図４】
2018152263.tif 000006
【図５】
2018152263.tif 000007
【図６】
2018152263.tif 000008
【図７】
2018152263.tif 000009
【図８】
2018152263.tif 000010
【図９】
2018152263.tif 000011